(57)【要約】【課題】  収納家具の天板の下面に、スライド可能な照明器具を設けるもので、天袋の上面を照らすことはできない。また、机上に設置された本立に対してスライド自在に動くものである。【解決手段】テーブルの天板の下面に取り付けて使用する照明器具であって、天板の下面に取り付ける取付板と、取付板に連結し、可倒する可倒体と、可倒体に連結した照明器具とからなることを特徴とする。【選択図】図１
2014212097.tif 000002
【特許請求の範囲】
【請求項１】
テーブルの天板の下面に取り付けて使用する照明器具であって、天板の下面に取り付ける取付板と、取付板に連結し、可倒する可倒体と、可倒体に連結した照明器具とからなることを特徴とするテーブル用照明器具。
【請求項２】
天板の下面に、レールを設け、このレールに取付板をスライド可能に設けてなることを特徴とする請求項１記載のテーブル用照明器具。
【請求項３】
天板の下面に着脱自在に取り付けるべく、取付具を設けてなることを特徴とする請求項１又は２記載のテーブル用照明器具。
【請求項４】
照明器具の支持軸が折曲げ可能であることを特徴とする請求項１又は２記載のテーブル用照明器具。
【請求項５】
取付板と可倒体の間に、連結体を設けてなることを特徴とする請求項１、２、３又は４記載のテーブル用照明器具。
【発明の詳細な説明】
【技術分野】
【０００１】  本発明は、主にテーブル（ダイニング等）の天板の下面に出し入れ自在に取り付けてなるテーブル用照明器具に関するものである。
【背景技術】  近年、学童が年少の場合、ダイニングテーブルなどで勉強させる事例が増えている。しかし通常、天井の照明器具の光のみで勉強することになりがちである。これでは絶対的に照度不足であり、子供の目の健康を害することに直結する。
ダイニングテーブルに電気スタンドを運べばよいのであるが、勉強の後は邪魔になるだけなので、そのつど移動させなければならない。
これは現実的ではなく、どうしても電気スタンドなしで勉強することになる。
また、大人も年齢を経るに従い、老眼がすすんでくるものだが、ダイニングテーブルで新聞等を読む際、照度が足らないと、より見えにくいものである。この場合も手元照明は不可欠である。
つまり、年齢に関係なくダイニングテーブルに電気スタンドは必要なのにもかかわらず、ダイニングテーブルはその性格上、常に電気スタンドを設置しておくことができない。そのため仕方なく不便に耐えているというのが現状である。
これはオフィスなどのミーティングテーブルや、商談用テーブルなどにもあてはまることで、テーブル上に常に電気スタンドを置くのは不都合であるが、必要時にはすぐに電気スタンドを設置したいという状況はいくらでもある。【０００２】  従来の技術としては、収納家具の天袋の下面に所定間隔を隔てて取り付けられる左右一対の受け桟と、前記受け桟の外側に配置され、該受け桟に沿ってその長手方向にスライド可能に掛け止めされる左右一対の側板、前記両側板の前端面に設けられている前板、および照明器具取付用孔を有し、前記両側板と前記前板の下部に取り付けられている底板を備える照明器具収納棚とで構成されていることを特徴とする照明ユニットがある。（特許文献１参照）【０００３】  また、別の従来技術として、机上に設置された本立に対して収納引出可能にスライド自在に構成された照明部を有し、該照明部の収納状態に伴って消灯させ、前期照明部の引出状態に伴って転倒させるスイッチ機構を備えたことを特徴とする本立用机上照明装置がある。（特許文献２参照）
【先行技術文献】
【特許文献】
【０００４】
【特許文献１】  特開２０１２−８４４８４号公報
【特許文献２】  特開平１１−４５６１３号公報
【発明の概要】
【発明が解決しようとする課題】
【０００５】  上記前者においては、収納家具の天板の下面に、スライド可能な照明器具を設けるもので、天袋の上面を照らすことはできない。
よって、本発明のような作用・効果は有していない。【０００６】  上記後者においても、机上に設置された本立に対してスライド自在に動くもので、これもまた、本発明のような作用・効果を有していない。【０００７】  本発明は、このような従来の構成が有した問題を解決しようとするものであり、各種テーブルの天板の下面に取り付け、スライド可能に形成し、必要時に天板の上面を照らすことができるテーブル用照明器具を提供することを目的とする。
【課題を解決するための手段】
【０００８】  本発明は上記目的を達成するため、テーブルの天板の下面に取り付けて使用する照明器具であって、天板の下面に取り付ける取付板と、取付板に連結し、可倒する可倒体と、可倒体に連結した照明器具とからなること。天板の下面に、レールを設け、このレールに取付板をスライド可能に設けてなること。天板の下面に着脱自在に取り付けるべく、取付具を設けてなること。照明器具の支持軸が折曲げ可能であること。連結体を設けてあること。
【発明の効果】
【０００９】１）、テーブルの天板の下面に取付け、必要な時に取り出し、天板の上面を照らすことができ、邪魔にならず、使用できるものである。
２）、取付板をテーブルの下面にレールを設けることにより、スライドして出し入れができるため、スライド量により照明器具の支持軸を曲げ、照明器具（スライド部）の位置を自由に設定できる。
３）、取付具にて取付板をテーブルの天板の下面に、着脱自在に取り付けられ、取り付け場所を必要に応じて設定できる。
４）、取付板を取付具あるいはレールより取り外し、テーブルの天板上面において使用することができる。
【図面の簡単な説明】
【００１０】
【図１】  本発明の第１実施例を示すテーブル用照明器具の平面図。
【図２】  本発明の第１実施例を示すテーブル用照明器具の正面作動図。
【図３】  本発明の第１実施例を示すテーブル用照明器具の使用状態図。
【図４】  本発明の第２実施例を示すテーブル用照明器具の平面図。
【図５】  本発明の第２実施例を示すテーブル用照明器具の正面作動図。
【図６】  本発明の第２実施例を示すテーブル用照明器具の使用状態図。
【図７】  本発明の第３実施例を示すテーブル用照明器具の使用状態図。
【発明を実施するための形態】
【００１１】  テーブル用照明器具１は、テーブルの天板の下面に取り付けて使用するもので、天板の下面に取り付ける、平板状のビス孔２ａ−−−を穿設してなる取付板２と、取付板２の下部端面に設けた蝶番３ａに連結し、下方に可倒する平板状の連結体３と、連結体３の上部端面に設けた蝶番４ａに連結し、上方に可倒する可倒体４と、可倒体４に連結した折曲自在な支持軸５ａとライト部５ｂからなる照明器具５からなるものである。
なお、テーブルの天板の下面にテーブル用照明器具１を保持すべく、支持軸を挟持する挟持具６を設けてある。
【００１２】  つぎに、テーブル用照明器具１の使用例について説明する。
まず、テーブル用照明器具１の取付板２をテーブルＴの天板ＴＢの下面所用位置にビス孔２ａ−−−よりビス止めし、照明機器５の支持軸５ａを挟持具６から外し、蝶番３ａを支点に照明機器５を回転させることにより、連結体３が水平に位置すると共に、可倒体４が蝶番４ａを支点にして内側へ倒すことにより照明器具５がテーブルＴの天板ＴＢの上方に位置させることができる。
この状態で、支持軸５ａやライト部５ｂを所用の位置にセッティングし、テーブルＴ（ダイニングテーブル・ミーティングテーブル等）上で、勉強や仕事ができるもので、必要でない時に、上記の反対の手順で収納するものである。
【００１３】  第２実施例のテーブル用照明器具について説明する。
テーブル用照明器具２１は、テーブルの天板の下面にビス孔２６ａ−−−を、穿設したレール２６を設け、このレール２６内のスライド板２６ｂに取り付けた、上記と同様な取付板２２の上部端面に設けた蝶番２４ａにて連結し、上方に可倒する上記と同様な可倒体２４を設け、上記と同様な支持軸２５ａとライト部２５ｂとからなる照明器具２５を設けてある。
【００１４】  上記テーブル用照明器具２１の使用例について説明する。
まず、テーブルＴ１の天板ＴＢ１の下面所用位置にレール２６をビス孔２６ａよりビス止めする。
その後、スライド板２６ｂへ、取付板２２を固定（ビス等）し、通常は、天板ＴＢ１の下面に収納しているが、必要時において、テーブル用照明器具２１を引っ張り出し、可倒体２４が蝶番２４ａを支点にして内側へ倒すことにより照明器具２５が天板ＴＢ１上方に位置させ、支持軸２５ａやライト部２５ｂを所用の位置にセッティングすればよい。
【００１５】  第３実施例のテーブル用照明器具３１について説明する。
第１実施例のテーブル用照明器具１や第２実施例のテーブル用照明器具２１（レール２６を除く）はテーブル用照明器具３１として、テーブルＴ２の天板ＴＢ２上で、単体でも使用できるものである。
また、平板をコの字形に形成し、下部に固定ネジを設けた取付具（図示せず）により、テーブル用の照明器具の取付板やレールをテーブルの天板の下面に着脱自在に取り付けられる。
【００１６】  上記各実施例において、各部位の大きさ、材質、固定方法等、特に限定するものではなく、必要に応じて設定すればよい。
また、蝶番は任意の角度にて固定・保持できるもので、他の部品でもよい。
【符号の説明】
【００１７】１−−−テーブル用照明器具
２−−−取付板
３−−−連結体
４−−−可倒体
５−−−照明機器
２６−−スライド板
Ｔ−−−テーブル
ＴＢ−−天板
【図１】
2014212097.tif 000003
【図２】
2014212097.tif 000004
【図３】
2014212097.tif 000005
【図４】
2014212097.tif 000006
【図５】
2014212097.tif 000007
【図６】
2014212097.tif 000008
【図７】
2014212097.tif 000009